(57)【特許請求の範囲】
【請求項１】
レンズ群を保持し、外周面に外方に向けて突出するボスが設けられたレンズ保持枠と、
レンズ保持枠の外側にあって、内周面にレンズ保持枠のボスと係合するカム構造が形成されたカム環とを備え、
カム環の回転によって、前記ボスがカム構造に沿って移動することでレンズ保持枠を介してレンズ群を駆動するレンズ駆動構造において、
カム構造は、レンズ群を収納位置と撮影可能となる所定位置までの間で駆動する繰り出し・収納用カム部と、
レンズ群を前記所定位置からさらに前方に繰り出して変倍を行うための変倍用カム部とからなり、
繰り出し・収納用カム部は、カム環の内周面の後端部から前方に向かうように形成された二本のリブを１単位として構成され、
変倍用カム部は、繰り出し・収納用カム部の二本のリブの前端部の間から、カム環の内周面の前端部にわたって形成された一本のリブを１単位として設けられ、
レンズ保持枠のボスは二つを１単位として形成され、
繰り出し・収納用カム部の二本のリブは、レンズ保持枠の二つのボスの外側を挟むように係合し、
変倍用カム部の一本のリブは、レンズ保持枠の二つのボスの間に挟まれるように係合することを特徴とするレンズ駆動構造。
【請求項２】
レンズ群を保持し、外周面に外方に向けて突出するボスが設けられたレンズ保持枠と、
レンズ保持枠の外側にあって、内周面にレンズ保持枠のボスと係合するカム構造が形成されたカム環とを備え、
カム環の回転によって、前記ボスがカム構造に沿って移動することでレンズ保持枠を介してレンズ群を駆動するレンズ駆動構造において、
カム構造は、レンズ群を収納位置と撮影可能となる所定位置までの間で駆動する繰り出し・収納用カム部と、
レンズ群を前記所定位置からさらに前方に繰り出して変倍を行うための変倍用カム部とからなり、
繰り出し・収納用カム部は、カム環の内周面の後端部から前方に向かうように形成された一本のリブを１単位として設けられ、
変倍用カム部は、繰り出し・収納用カム部の一本のリブの前端部近傍からカム環の内周面の前端部にわたって形成された一本のリブを１単位として設けられ、
レンズ保持枠のボスは二つを１単位として形成され、
繰り出し・収納用カム部の一本のリブと、レンズ保持枠の二つのボスの一方とは、互いに当接するように係合し、
変倍用カム部の一本のリブは、レンズ保持枠の二つのボスの間に挟まれるように係合することを特徴とするレンズ駆動構造。
【発明の詳細な説明】
【０００１】
【発明の属する技術分野】
本発明は、レンズを駆動するためのレンズ駆動構造に関する。
【０００２】
【従来の技術】
従来、レンズ群を前後方向に駆動させてレンズの繰り出しや変倍を行うレンズ駆動構造が知られている。このようなレンズ駆動構造では、レンズを保持するレンズ保持枠にボス等を設け、このボスをカム環のリブや溝からなるカム部に係合させてレンズ群を駆動させる構造が多く用いられる。
【０００３】
【発明が解決しようとする課題】
このようなカム構造において、カム環に形成される変倍用のリブや溝などのカム部には、高精度の加工が必要であり、型加工等に時間やコストを要していた。しかも、レンズの繰り出し・収納用のカムと、変倍用のカムとが連続して形成されていたため、精度を必要としない繰り出し・収納用のカム構造にも、変倍用を基準とした高精度の加工が施され、コストと加工時間の上で無駄が生じていた。
【０００４】
本発明の課題は、コストと加工時間の点でより優れたレンズ駆動構造を提供することである。
【０００５】
【課題を解決するための手段】
以上の課題を解決するため、請求項１記載の発明は、例えば図１〜３に示すように、
レンズ群を保持し、外周面に外方に向けて突出するボス（３１ａ，３１ｂ）が設けられたレンズ保持枠（３０）と、
レンズ保持枠の外側にあって、内周面にレンズ保持枠のボスと係合するカム構造（リブ構造１１，２１）が形成されたカム環（１０，２０）とを備え、
カム環の回転によって、前記ボスがカム構造に沿って移動することでレンズ保持枠を介してレンズ群を駆動するレンズ駆動構造（１，２）において、
カム構造は、レンズ群を収納位置と撮影可能となる所定位置までの間で駆動する繰り出し・収納用カム部（収納用リブ１１ｂ，１１ｂ，２１ｂ）と、
レンズ群を前記所定位置からさらに前方に繰り出して変倍を行うための変倍用カム部（変倍用リブ１１ａ，２１ａ）とからなり、
繰り出し・収納用カム部は、カム環（１０）の内周面の後端部から前方に向かうように形成された二本のリブ（収納用リブ１１ｂ，１１ｂ）を１単位として構成され、
変倍用カム部は、繰り出し・収納用カム部の二本のリブの前端部の間から、カム環の内周面の前端部にわたって形成された一本のリブ（変倍用リブ１１ａ）を１単位として設けられ、
レンズ保持枠のボスは二つ（３１ａ，３１ｂ）を１単位として形成され、
繰り出し・収納用カム部の二本のリブは、レンズ保持枠の二つのボスの外側を挟むように係合し、
変倍用カム部の一本のリブは、レンズ保持枠の二つのボスの間に挟まれるように係合することを特徴としている。
【０００６】
請求項１記載の発明によれば、高精度の加工を必要としない繰り出し・収納用カム部と、高精度の加工が必要な変倍用カム部とが別に設けられる。従って、高精度の加工を施す部分を少なくすることができ、加工時間の短縮と、コストの削減とを図ることができる。
【０００８】
請求項２に記載の発明は、例えば図４に示すように、
レンズ群を保持し、外周面に外方に向けて突出するボス（３１ａ，３１ｂ）が設けられたレンズ保持枠（３０）と、
レンズ保持枠の外側にあって、内周面にレンズ保持枠のボスと係合するカム構造（リブ構造１１，２１）が形成されたカム環（１０，２０）とを備え、
カム環の回転によって、前記ボスがカム構造に沿って移動することでレンズ保持枠を介してレンズ群を駆動するレンズ駆動構造（１，２）において、
カム構造は、レンズ群を収納位置と撮影可能となる所定位置までの間で駆動する繰り出し・収納用カム部（収納用リブ１１ｂ，１１ｂ，２１ｂ）と、
レンズ群を前記所定位置からさらに前方に繰り出して変倍を行うための変倍用カム部（変倍用リブ１１ａ，２１ａ）とからなり、
繰り出し・収納用カム部は、カム環（２０）の内周面の後端部から前方に向かうように形成された一本のリブ（収納用リブ２１ｂ）を１単位として設けられ、
変倍用カム部は、繰り出し・収納用カム部の一本のリブの前端部近傍からカム環の内周面の前端部にわたって形成された一本のリブ（変倍用リブ２１ａ）を１単位として設けられ、
レンズ保持枠のボスは二つ（３１ａ，３１ｂ）を１単位として形成され、
繰り出し・収納用カム部の一本のリブと、レンズ保持枠の二つのボスの一方とは互いに当接するように係合し、
変倍用カム部の一本のリブは、レンズ保持枠の二つのボスの間に挟まれるように係合することを特徴としている。
ここで、リブとボスとが「当接するように係合する」とは、具体的には、レンズ保持枠またはカム環が、もしくはその両方が、弾性部材によってボスとリブとが互いに当接するように付勢され、それによってボスとリブとの係合状態が維持されるといった構成が挙げられる。
【０００９】
【発明の実施の形態】
以下、図を参照して本発明の実施の形態を説明する。
〔第１の実施の形態〕
図１は、本発明の一例としてのレンズ駆動構造１を示す分解斜視図である。
【００１０】
まず、レンズ駆動構造１の構成を説明する。
図１に示すように、レンズ駆動構造１はカム環１０と、レンズ保持枠３０とからなる。図１における左側を前方とする。
このレンズ駆動構造１は、複数のレンズ群を有し、レンズ群間隔を変えることによって変倍を行うレンズ鏡胴に使用されるものである。
【００１１】
レンズ保持枠３０は、内部に図示しないレンズ群を保持するものである。レンズ保持枠３０の内側には、前後方向に形成された直進溝を有するキー環（図示略）が回転しない状態で取り付けられている。そして、レンズ保持枠３０の内周面には、このキー環の直進溝と係合する図示しない小突起が設けられ、レンズ保持枠３０はこのキー環によって直進するように規制されている。また、レンズ保持枠３０の外周面には、外方に向けて突出する二つのボス３１ａ，３１ｂが設けられている。ボス３１ａ，３１ｂは、二つで１組となるよう形成されている。図１ではボス３１ａ，３１ｂは１組のみ示されているが、レンズ保持枠３０には、図３で示すように、３組設けられる。
【００１２】
カム環１０は、レンズ保持枠３０の外側に取り付けられ、内周面にはレンズ保持枠３０のボス３１ａ，３１ｂと係合するカム構造として、リブ構造１１が３組設けられている。図２および図３に、ボス３１ａ，３１ｂとリブ構造１１の係合状態を示す。リブ構造１１は、高精度に加工された前方側の一本の変倍用リブ（変倍用カム部）１１ａと、比較的ラフに加工された、後方側の二本の収納用リブ（繰り出し・収納用カム部）１１ｂ，１１ｂとからなる。変倍用リブ１１ａの後端部は、収納用リブ１１ｂ，１１ｂの前端部の間に位置し、そこから前方に延びるように形成されている。
【００１３】
レンズが収納状態にあるとき、図３のＡで示すように、収納用リブ１１ｂ，１１ｂは、その後部において、二つのボス３１ａ，３１ｂの外側を挟み込むようにして、ボス３１ａ，３１ｂと係合するようになっている。
【００１４】
レンズがワイド（最小倍率）状態まで繰り出されたとき、ボス３１ａ，３１ｂは、図３のＢで示すように、収納用リブ１１ｂ，１１ｂの前端部の間であって、同時に内側において変倍用リブ１１ａを挟む。さらに、レンズがテレ（最大倍率）状態に達したとき、ボス３１ａ，３１ｂは、図３のＣで示すように、変倍用リブ１１ａの前部を挟むようにして係合する。
【００１５】
次に、レンズ駆動構造１の動作を説明する。
収納位置からカム環１０がレンズを繰り出す方向（図３において右方向）に回転すると、レンズ保持枠３０は、ボス３１ａ，３１ｂが収納用リブ１１ｂ，１１ｂに沿って移動することで繰り出される。レンズ保持枠３０がワイド状態のＢ位置まで繰り出されると、ボス３１ａ，３１ｂは、それらの内側で変倍用リブ１１ａと係合する。さらにカム環１０が回転すると、ボス３１ａ，３１ｂと、収納用リブ１１ｂ，１１ｂとの係合は外れ、レンズ保持枠３０は変倍用リブ１１ａの案内によって前方に繰り出され、最終的には前述のテレ状態のＣ位置に至る。
【００１６】
レンズがテレ状態から収納位置まで繰り込まれるとき、カム環１０は繰り出し時とは逆方向（図３において左方向）に回転する。これに伴い、レンズ保持枠３０は、ボス３１ａ，３１ｂが変倍用リブ１１ａに沿って後方に移動することで繰り込まれ、ワイド状態のＢ位置においてボス３１ａ，３１ｂと収納用リブ１１ｂ，１１ｂとが係合する。さらにカム環１０が回転すると、ボス３１ａ，３１ｂと変倍用リブ１１ａとの係合は外れ、レンズ保持枠３０は、収納用リブ１１ｂ，１１ｂの案内によって収納位置に戻る。
【００１７】
以上のレンズ駆動装置１によれば、カム環１０に、繰り出し・収納を行うための収納用リブ１１ｂ，１１ｂと、変倍を行うための変倍用リブ１１ａとを前後方向に別に設け、それらがボス３１ａ、３１ｂと各々係合するようにしている。従って、収納用と変倍用のカム部を分けて設けたので、変倍用の高精度の加工を施す部分を少なくして、加工時間の短縮とコストの削減とを図ることができる。
【００１８】
〔第２の実施の形態〕
図４は、本発明の第２の実施の形態としてのレンズ駆動構造２におけるカム環２０の内周面を示す展開図である。なお、本実施の形態においては、収納用リブ２１ｂが一本である以外は、第１の実施の形態とほぼ同様であり、同じ部材については同符号を付して説明する。
第１の実施の形態と同様に、レンズ駆動構造２はレンズ保持枠３０を有する。
【００１９】
カム環２０の内周面には、レンズ保持枠３０のボス３１ａ，３１ｂと係合するカム構造として、リブ構造２１が３組設けられている。各リブ構造２１は、高精度に加工された前方側の一本の変倍用リブ（変倍用カム部）２１ａと、比較的ラフに加工された後方側の一本の収納用リブ（繰り出し・収納用カム部）２１ｂとからなる。変倍用リブ２１ａの後端部は、収納用リブ２１ｂの前端部近傍に位置し、そこから前方に延びるように形成されている。
【００２０】
カム環２０とレンズ保持枠３０のいずれかあるいは両方は、図示しないバネ等によって、ボス３１ａが収納用リブ２１ｂに押しつけられる方向に付勢されている。
【００２１】
レンズが収納状態にあるとき、レンズ保持枠３０の一方のボス３１ａは、図４のＡで示すように、収納用リブ２１ｂの後部に押しつけられて当接した状態で係合している。
【００２２】
レンズがワイド状態に繰り出された時、ボス３１ａは、図４のＢで示すように、収納用リブ２１ｂの前部に当接し、同時にボス３１ａ，３１ｂは変倍用リブ２１ａの後部を挟むようにして係合する。またテレ状態では、ボス３１ａ，３１ｂは図４のＣで示すように、変倍用リブ２１ａの前部と係合する。
【００２３】
次に、レンズ駆動構造２の動作を説明する。
収納状態からカム環２０がレンズ保持枠３０を繰り出す方向（図４において右方向）に回転すると、レンズ保持枠３０は、ボス３１ａが収納用リブ２１ｂに当接しながら移動し、繰り出される。レンズ保持枠３０がワイド状態のＢ位置に達すると、ボス３１ａ，３１ｂは、それらの内側で変倍用リブ２１ａと係合する。さらにカム環２０が回転すると、ボス３１ａは当接していた収納用リブ２１ｂと離れ、レンズ保持枠３０は変倍用リブ２１ａの案内によって前方に繰り出され、最終的に前記テレ状態のＣ位置に至る。
【００２４】
レンズがテレ状態から収納位置まで繰り込まれるとき、カム環２０は繰り出し時とは逆方向（図４において左方向）に回転する。これに伴い、レンズ保持枠３０は、ボス３１ａ，３１ｂが変倍用リブ２１ａに沿って後方に移動することで繰り込まれ、Ｂ位置に達すると、ボス３１ａが収納用リブ２１ｂと当接する。さらにカム環２０が回転すると、変倍用リブ２１ａとボス３１ａ，３１ｂとの係合は外れ、レンズ保持枠３０は、ボス３１ａと当接する収納用リブ２１ｂの案内によって収納位置に戻る。
【００２５】
以上のレンズ駆動装置２によれば、カム環２０に、繰り出し・収納を行うための収納用リブ２１ｂと、変倍を行うための変倍用リブ２１ａとを前後方向に別に設け、それらがボス３１ａ、３１ｂと各々係合するようにしている。従って、収納用と変倍用のカム部を分けて設けたことから、変倍用の高精度の加工を施す部分を少なくして、加工時間の短縮とコストの削減とを図ることができる。
【００２６】
なお、本発明は、上記実施の形態に限定されるものではない。
例えば、第１の実施の形態および第２の実施の形態では、カム構造としてリブを用いたが、カム溝であってもよい。また図３および図４において、ボスとリブとは３組設けられていたが、これらを何組設けるかは適宜変更しうるものである。さらに、駆動構造におけるリブの形状や本数も、適宜変更できる。
また、本発明のレンズ駆動構造を、他のカム構造やヘリコイドネジなどと組み合わせてもよい。
【００２７】
【発明の効果】
本発明によれば、高精度の加工を必要としない繰り出し・収納用カム部と、高精度の加工の必要な変倍用カム部とが別に設けられる。従って、高精度の加工を施す部分を少なくすることができ、加工時間の短縮と、コストの削減とを図ることができる。
【図面の簡単な説明】
【図１】本発明を適用した第１の実施の形態のレンズ駆動構造の分解斜視図である。
【図２】図１におけるカム環とレンズ保持枠との係合を示す部分断面図であり、（ａ）は変倍動作時、（ｂ）はレンズの繰り出し・収納時を示す。
【図３】図１のカム環の内周面をレンズ保持枠のボスと共に示す展開図である。
【図４】本発明を適用した第２の実施の形態のレンズ駆動構造におけるカム環の内周面を、レンズ保持枠のボスと共に示す展開図である。
【符号の説明】
１，２  レンズ駆動構造
１０，２０  カム環
１１，２１  リブ構造（カム構造）
１１ａ，２１ａ  変倍用リブ（変倍用カム部）
１１ｂ，１１ｂ，２１ｂ  収納用リブ（繰り出し・収納用カム部）
３０    レンズ保持枠
３１ａ，３１ｂ  ボス
【図１】
0004627877.tif 000002
【図２】
0004627877.tif 000003
【図３】
0004627877.tif 000004
【図４】
0004627877.tif 000005